(57)【要約】【課題】取付に便利で、部品の交換及び修理がし易く、低コスト化を図る事。【解決手段】ケースおよびスイッチ本体を含む。該ケースの両側の内部に第１導電ばね片が設けられ、該スイッチ本体は、該ケース内に可動的に結合され、該スイッチ本体は、両側に凹溝を対応して設けており、各凹溝の内側には第２導電ばね片が対応して設けられ、該ケースの両側の内部の第１導電ばね片が、該スイッチ本体の両側の凹溝に対応して可動的に結合され、かつ、該ケースの両側の内部の第１導電ばね片が、該スイッチ本体の両側の第２導電ばね片とは、互いに可動的に弾性当接される。【選択図】図２
0003140801.tif 000002
【実用新案登録請求の範囲】
【請求項１】
ケースおよびスイッチ本体を含み、
前記ケース内の両側に第１導電ばね片が設けられ、
前記ケース内に可動的に結合され、両側に凹溝を対応して設けており、各凹溝の内側には第２導電ばね片が対応して設けられ、
前記ケース内の両側に第１導電ばね片が、スイッチ本体の両側の凹溝に対応して可動的に結合され、
かつ、前記ケース内の両側の第１導電ばね片が、スイッチ本体の両側の第２導電ばね片とが、互いに可動的に弾性当接することを特徴とする、
モジュール型スイッチ。
【請求項２】
前記ケースの両側の内部の第１導電ばね片および前記スイッチ本体の両側の第２導電ばね片は、弧状に曲げられ、互いに可動的に弾性当接されることを特徴とする、請求項１に記載のモジュール型スイッチ。
【請求項３】
前記ケースの両側の内部の第１導電ばね片の外側に、さらに、対応する第３導電ばね片がそれぞれ設けられ、互いに電源線にそれぞれ可動的に接続されることを特徴とする、請求項１または２に記載のモジュール型スイッチ。
【請求項４】
前記スイッチ本体は、両側に対応して設けている凹溝の上縁部にフック部をそれぞれ設け、前記ケースの両側の内部には係止溝がそれぞれ対応して設けられ、両側の係止溝に、着脱し易いように取付用孔が上向きに形成されていることを特徴とする、請求項１に記載のモジュール型スイッチ。
【考案の詳細な説明】
【技術分野】
【０００１】
本考案は様々なスイッチ台座或は類似構造に適用できるモジュール型スイッチに係り、特に、ケースおよびスイッチ本体の組合せにより、取付に便利で快速で、交換及び修理がし易く、交換コストを低減できる効果を有するモジュール型スイッチに関するものである。
【背景技術】
【０００２】
一般に、従来の壁面の押ボタンスイッチは、主に、金属殻、フレーム、スイッチ本体およびケースを含む。
該金属殻は、壁上に予め設けられた凹溝内に設けられ、該スイッチ本体はフレーム上に設けられ、該スイッチ本体の一端が電源線に電気的に接続され、該フレームがねじ部材で該金属殻に締め付けられる。
また、該スイッチ本体の他端が、該ケースによりフレームの外に結合されている。
従来の押ボタンスイッチは、電源をオン・オフする機能を有するが、構成部品点数が多い。そのため、スイッチ本体を交換する時には、先に押ボタンスイッチのケース及びフレームを取外しておき、さらに、スイッチ本体をフレームから外し、かつ、スイッチ本体の後端に差し込まれた電源線を外してから、スイッチ本体を修理や交換できるようになっている。
そのため、取替えの作業工程において大変大きな不便さがある。
逆に、壁面の押ボタンスイッチを組み立てる時にも、同様の不便さがある。
このように従来の壁面の押ボタンスイッチは、実際に使用する時に依然として使用者の要求に合っていない。
【考案の開示】
【考案が解決しようとする課題】
【０００３】
本考案の主な目的は、ケースおよびスイッチ本体の組合せによるもので、該スイッチ本体は、両側に凹溝を対応して設けており、各凹溝の内側には第２導電ばね片が対応して設けられ、該ケースの両側の内部の第１導電ばね片が、該スイッチ本体の両側の凹溝に対応して可動的に結合され、かつ、該ケースの両側の内部の第１導電ばね片が、該スイッチ本体の両側の第２導電ばね片とは、互いに可動的に弾性当接されることによって、取付便利や快速、交換及び修理し易く、交換コストが低下される効果を有し、全体の実用性および便利性を増加できるモジュール型スイッチを提供することにある。
【課題を解決するための手段】
【０００４】
前記目的を達成するために、本考案に係るモジュール型スイッチは、ケースおよびスイッチ本体を含む。前記ケースの両側の内部に第１導電ばね片が設けられ、前記スイッチ本体は、前記ケース内に可動的に結合され、前記スイッチ本体は、両側に凹溝を対応して設けており、各凹溝の内側には第２導電ばね片が対応して設けられる。前記ケースの両側の内部の第１導電ばね片が、前記スイッチ本体の両側の凹溝に対応して可動的に結合され、かつ、該ケースの両側の内部の第１導電ばね片が、該スイッチ本体の両側の第２導電ばね片とは、互いに可動的に弾性当接されることによって、取付に便利で、短時間のうちに交換及び修理がし易くなって、交換コストを低減できる効果を有し、全体としての実用性および便利性を増加することができる。
【考案の効果】
【０００５】
本考案は、ケースおよびスイッチ本体の組合せよりなり、ケースの両側の第１導電ばね片と、スイッチ本体の両側の第２導電ばね片とが、互いに可動的に弾性当接されることによって、スイッチの取付に便利であり、スイッチ部品の交換や修理がし易い。
スイッチの部品交換コストの低減効果を有し、全体としての実用性および便利性を増加したモジュール型スイッチを提供することが可能である。
【考案を実施するための最良の形態】
【０００６】
本考案の他の特徴及び具体的な実施例は、後続の詳しく説明及び図示よりさらに了解できる。
図１〜図４に示すように、本考案に係るモジュール型スイッチは、ケース１０およびスイッチ本体２０を含む。
【０００７】
ケース１０の両側の内部に第１導電ばね片１１が設けられ、該ケース１０の両側の内部の第１導電ばね片１１は、弧状に曲げられる。
【０００８】
スイッチ本体２０は、該ケース１０内に可動的に結合される。
該スイッチ本体２０は、両側に凹溝２１を対応して設けている。各凹溝２１の内側には第２導電ばね片２２が対応して設けられている。
該ケース本体２０の両側の第２導電ばね片２２が弧状に曲げられる。
該ケース１０の両側の内部の第１導電ばね片１１が、該スイッチ本体２０の両側の凹溝２１に対応して可動的に結合される。
該ケース１０の両側の内部の第１導電ばね片１１が、該スイッチ本体２０の両側の第２導電ばね片２２とは、互いに可動的に弾性当接される。
【０００９】
そのうち、該ケース１０の両側の内部の第１導電ばね片１１の外側に、さらに、対応する第３導電ばね片１２がそれぞれ設けられている。
第１導電ばね片１１と第３導電ばね片１２には各電源線３０がそれぞれ可動的に接続される。
第３導電ばね片１２を省略して、該ケース１０内の両側の第１導電ばね片１１に電源線３０を直接電気的に接続しても良い。
また、該スイッチ本体２０は、両側に対応して設けている凹溝２１の上縁部にフック部２３をそれぞれ設ける。該ケース１０内の両側には、係止溝１３がそれぞれ対応して設けられ、両側の係止溝１３に、着脱し易いように取付用孔１４が上向きに立設される。
【００１０】
図１〜図４に示すように、本考案に係るモジュール型スイッチの特徴は、ケース１０およびスイッチ本体２０の組合せにある。
該スイッチ本体２０は、両側に凹溝２１を対応して設けており、各凹溝２１の内側には第２導電ばね片２２が対応して設けられる。
該ケース本体２０の両側の第２導電ばね片２２が弧状に曲げられる。
該ケース１０の両側の内部の第１導電ばね片１１が、該スイッチ本体２０の両側の凹溝２１に対応して可動的に結合される。
かつ、該ケース１０の両側の内部の第１導電ばね片１１が、該スイッチ本体２０の両側の第２導電ばね片２２とは、互いに可動的に弾性当接されるため、組み立てる時に、該ケース１０と電源線３０とのみを電気的に接続した後に、該ケース本体２０を該ケース１０に便利および快速的に取り付けることができる。
また、該スイッチ本体２０の両側に対応して設けられた凹溝２１および各凹溝２１の内側に対応して設けられた第２導電ばね片２２により、該ケース１０の両側の内部の第１導電ばね片１１が、該スイッチ本体２０の両側の凹溝２１に対応して可動的に結合される。
かつ、該ケース１０の両側の内部の第１導電ばね片１１が、該スイッチ本体２０の両側の第２導電ばね片２２とは、互いに可動的に弾性当接される。
さらに、該スイッチ本体２０の両側のフック部２３は、該ケース１０の両側の内部にそれぞれ対応して設けられた係止溝１３内に弾性的に係止して、安定な結合状態を得ることができる。
また、該スイッチ本体２０が損壊されて修理する時には、工具で取付用孔１４に挿入するだけで、該スイッチ本体２０の両側のフック部２３を該ケース１０の両側の内部にそれぞれ対応して設けられた係止溝１３内から離脱させて、該スイッチ本体２０を便利かつ速やかに取り出すことができる。
さらに、修理や交換を行なった後における取付けにも便利である。
このように交換や修理を速やかで簡単に行なうことができて、交換コストを低減できるといった効果を有する。装置全体としての実用性および便利性に優れる。
【００１１】
前記した構成は単に本考案の好ましい実施例の記載に過ぎず、この実施例の記載が本考案の特徴を限定するものではなく、当業者が適宜行なう置換や変更等は本考案に含まれるべきものであることは言うまでもないことである。
【図面の簡単な説明】
【００１２】
【図１】本考案の実施例に係る示すモジュール型スイッチの外観斜視図である。
【図２】本考案の実施例に係るモジュール型スイッチの分解断面図である。
【図３】本考案の実施例に係るモジュール型スイッチの断面図である。
【図４】本考案の実施例に係るモジュール型スイッチの平面図である。
【符号の説明】
【００１３】
１０・・・・ケース
１１・・・・第１導電ばね片
１２・・・・第３導電ばね片
１３・・・・係止溝
１４・・・・取付用孔
２０・・・・スイッチ本体
２１・・・・凹溝
２２・・・・第２導電ばね片
２３・・・・フック部
３０・・・・電源線
【図１】
0003140801.tif 000003
【図２】
0003140801.tif 000004
【図３】
0003140801.tif 000005
【図４】
0003140801.tif 000006